(57)【要約】【課題】  タバコ、マッチ、線香等棒状の火種を消すのに水を使わず、簡単、確実、短時間に出来、消火後のタバコ、その灰がべたつかず、サラッとし、臭いも少なく、無色透明な清潔感のある、後始末の簡単な消火剤。【解決手段】  珪酸ナトリウムを酸で反応したシリカゾルを熟成し、三次元微細孔構造を持ったシリカキセロゲルを形成した後５０℃〜８００℃の温度を加えることによって得られる無機多孔質二酸化ケイ素であって。少なくとも二酸化珪素が８５重量％以上を含有し、粒子の大きさが数μｍ以上の無機多孔質からなる事を特徴とし、これを深さ１．０ｃｍ以上ある容器に厚さ０．５ｃｍ以上の層を形成し、タバコ、マッチ、線香等の火種部分を挿入、埋没させて火種を消滅して消火する。【特許請求の範囲】
【請求項１】
珪酸ナトリウムを酸で反応したシリカゾルを熟成し、三次元微細孔構造を持ったシリカキセロゲルを形成した後５０℃〜８００℃の温度を加えることによって得られる無機多孔質二酸化ケイ素で、粒子の大きさが数μｍ以上であり、少なくとも二酸化ケイ素が８５重量％以上を含有する事を特徴とする無機多孔質二酸化ケイ素。
【請求項２】
請求項１に記載する無機多孔質二酸化ケイ素において窒素吸着法で表面積が５０〜１０００ｍ２／ｇ、細孔容積０．１〜２．０ｃｃ／ｇ、見掛け比重０．２〜１．０ｇ／ｃｃ、の物性を持つ事を特徴とする無機多孔質二酸化ケイ素。
【発明の詳細な説明】
【技術分野】
【０００１】  本発明は消火剤として、特にタバコ、マッチ、線香等棒状の火種を消すのに有効，且つ、容易に確実に短時間で火種を失くし、消火を完全にし、消火後の灰がべとつかず、さらっとし臭いも少なく、後始末が簡単な消火剤に関するものである。
【背景技術】
【０００２】  タバコ、マッチ、線香等の火が火事の原因として常に上位（放火についで毎回２位）を占めており、特にタバコの不始末による火災の被害は年々増加の傾向にあり、毎年貴重な人命や財産が失われているにも拘らず，未だに有効確実に消火する手段が無く、屋外では人為的に揉み消すか、水のある所に捨てるか足で踏み躙るかで、最悪の場合はポイ捨てにする。
この事が火事の多くの原因となり、更には環境の汚染につながり各自治体、民間等は対策に頭を痛めているのが現状である。最近は携帯用灰皿が普及しているがまだまだ普及度合が低い。【０００３】  屋内では灰皿を使って人為的に揉み消すのが一般的であるが、消し忘れや、消したつもりが消えて無く、再燃し火事の多くの原因となる。その対策として灰皿の中に、水を入れて消火するが、消火後その水の中にタバコの成分である、ニコチン、タール、アセトアルデヒド、酢酸等の有害物質が溶け出し、悪臭を放ち、不衛生で不快感を増長し、後始末も大変である。又この水を幼児が誤飲する事件も後を立たない。【０００４】  平成１５年５月の健康増進法施行などを機に公共スペースを禁煙にする動きが強まっているが煙害で不愉快な思いをしている人が依然多い。そのため分煙場所を設けて喫煙を促しているが、換気を良くする為に排煙、換気装置などを設置しているが、タバコを消すための灰皿は水を張るといった旧態以前たるものがあり未だに解決されていないのが現状である。【０００５】  灰皿の中に水以外に、種々の砂粒子（２０〜４０メッシュ）や、寒水石（白色）等の鉱物を敷いるが、この場合、タバコの火種の部分が砂や石の比重が重いために容易に砂や石の中に埋没せず燻り、再燃する可能性があり消火を確認し揉み消す必要がある。【０００６】  灰皿の中に重曹と多孔質粒子を混合したものもあるが、比重が重いために火種の部分が挿入、埋没しにくく、タバコの火種部分が完全に空気から遮断されず再燃の危険があり、揉み消す必要がある。即ち，タバコの火は火種部分を完全に空気から遮断することが肝要である。
【特許文献１】  特開２００１−２９０５９
【発明の開示】
【発明が解決しょうとする課題】
【０００７】  本発明は、上記のような問題点を解決するために、消火の四原則、即ち、火種の窒息、抑制、冷却、除去を充足し、混合物で無く無機多孔質二酸化ケイ素の単一物質からなり、安全、確実、即効性を付与し信頼性に優れ、無色透明で清潔感がある、タバコ消火剤を得る。
【課題を解決するための手段】
【０００８】  これらの課題を解決するために、この本発明の消火剤は、珪酸ナトリウムを酸で反応したシリカゾルを熟成し、三次元微細孔構造を持ったシリカキセロゲルを形成した後５０℃〜８００℃の温度を加えることによって得られる無機多孔質二酸化ケイ素であって、粒子が１μｍ以上であり少なくとも二酸化珪素８５．０％以上を有する多孔性物質からなることを特徴とする。
【発明の効果】
【０００９】  本発明によって無機多孔質二酸化ケイ素の消火剤を敷いた層に、タバコ、マッチ、線香等の火種部分を挿入する事で１５秒以内で火種を無くし，完全に消火できることを発見するに至った。これによって水を使わず、タバコ、マッチ、線香等を短時間で、簡単、確実に消火出来、特に消火した後、タバコの灰は、無機多孔質二酸化ケイ素の吸着特性によって、水分、ニコチン、タール、酢酸等の臭い成分を吸着し、さらに揉み消す必要が無いので、嫌な臭いを軽減し、灰が乾き、べたつきは無く、何度も連続して使用出来、汚れが目立ったら交換するだけでよい。更に利点として幅がタバコの径より若干大きく、深さが５ｃｍ以上ある容器であれば、材質を問わず消火剤の層を火種部分以上にすれば、お好みのデザインで簡単な灰皿となり、火種が残る心配が無く安心してタバコが吸え、特定の灰皿が必要ない。尚、水を使わないため、こぼれて周囲を汚す事も無く、幼児の誤飲も防げる。
【発明を実施するための最良の形態】
【００１０】  本発明の無機多孔質二酸化ケイ素の消火剤は、珪酸ナトリウムを酸で反応したシリカゾルを熟成し、三次元微細孔構造を持ったシリカキセロゲルを形成した後５０℃〜８００℃の温度を加えることによって得られる無機多孔質二酸化ケイ素で、夫々の粒子に超微細孔（Å単位）を無数に有し、比表面積１００〜５００ｍ２／ｇ、細孔容積０．４〜０．７ｃｃ／ｇ、見掛け比重０．４〜０．７ｇ／ｃｃ、粒子の大きさ０．８〜１．８ｍｍで各粒子間の空隙率を高くした物性である事を特徴とする事。【００１１】  消火剤を、多孔質で、見掛け比重を軽くする事によってタバコの火種部分が消火剤層に簡単に挿入，埋没でき、消火剤の層厚を０．５ｃｍ以上にし、空気との接触を遮断し、窒息効果によって火種部分が消滅する。もし消火剤の層が０．５ｃｍ以下であると、火種部分が十分に消火剤の層に埋没せず、肝心の火種部分が露出し、空気と接触した状態となり消化効果が無く、燻り、再燃する危険性がある。【００１２】  多孔質で細孔容積が大きく、各粒子が適度の大きさであるため、空隙率が高く、熱の拡散が促進され、細孔内部と空隙内部の冷たい空気と火種部分の燃焼ガスが混合し急激に温度が下がる効果がある。【００１３】  二酸化珪素が主成分であるため、比熱が高く断熱効果があり冷えやすい。又、無色透明なので清潔感が有る。【００１４】  見掛け比重が軽いため、各粒子が軽くなり、火種部分の挿入が容易になる。【００１５】  粒子の大きさを３ｍｍ以下にする事により、比表面積が大きくなり、火種部分と消火剤の接触面積が増加し火種の温度が下がる。又球状であれば各粒子は回転し易く、点接触のため火種部分が消火剤層に挿入し易くなる。【００１６】  消火剤（無機多孔質二酸化ケイ素）の表面には無数の官能基シラノール（―ＯＨ）を持ち、多孔質のため、水分、ニコチン、タール、酢酸等の有害物質もよく吸着し、容量も大きいので、タバコを消火した後、悪臭、有害物質が少なくなり、残ったタバコ、灰も乾燥し、べたつかず、サラッとし、後始末も連続使用した後、汚れたら消火剤を取り替えるだけで良く簡単である。以上の結果から安全、確実に素早く、タバコ、マッチ、線香等の棒状火種を消す信頼性の高い、清潔感のある消火剤を発明するに至った。
【実施例１】
【００１７】  幅５ｃｍ、横５ｃｍ、深さ４ｃｍのプラスック容器に、表面積６５０ｍ２／ｇ、細孔容積０．３５ｃｃ／ｇ、見掛け比重０．７５ｇ／ｃｃ、球状粒子の大きさ０．８〜１．８ｍｍで、消火剤無機多孔質二酸化ケイ素を深さ１ｃｍに敷き、火付きタバコをその中に垂直に挿入し、完全に火種部分が埋没したのを確認し、５秒、８秒、１２秒、１５秒で火種部分を引き上げ、火種部分を観察、指で火種部分を潰す事によって火種の温度を感じそれを記録した。
【実施例２】
【００１８】  実施例１と同じ要領で表面積５００ｍ２／ｇ、細孔容積０．７ｃｃ／ｇ、見掛け比重０．５ｃｃ／ｇ、球状粒子０．８〜１．８ｍｍの大きさでテストした。
【実施例３】
【００１９】  実施例１と同じ要領で表面積３００ｍ２／ｇ、細孔容積０．９ｃｃ／ｇ、見掛け比重０．３ｇ／ｃｃ、球状粒子０．８〜１．８ｍｍの大きさでテストした。
【実施例４】
【００２０】  実施例１と同じ要領と物性も同一で、粒子の形状を破砕形にし約１０μｍの大きさでテストした。
【実施例５】
【００２１】  実施例２と同じ要領、物性で形状を破砕形にし約５μｍの大きさでテストした。
【実施例６】
【００２２】  実施例３と同じ要領、物性で形状を破砕形にし約３μｍの大きさでテストした。
実施例１〜６までの評価を次の通りに行った。
Ｉ  火種部分を指で摘んで熱さの感触をみる。
（Ａ）火種部分は全く無し。
（Ｂ）火種部分は無いが若干温かい。
（Ｃ）火種部分は無いが熱く感じる。
（Ｄ）火種部分は無いが非常に熱い。
その結果を表にする。
【表−１】
2005336044.tif 000002
ＩＩ  火種部分を肉眼で観察する。
◎火種部分は全く無く灰色。
○火種部分は無いが灰が黒い部分と灰色の部分がある。
▽火種部分は無く灰は黒い。
その結果を表にする。
【表−２】
2005336044.tif 000003
【００２３】  表−１からタバコの火種部分が消火剤層に挿入されて８秒後には火種部分が，粒子の大きさと形状に関係なく消滅し、１５秒後には完全に消火していた。【００２４】  粒子はだんだん小さくなるにつれて、火種部分が挿入しやすくなるがμｍ粒子になるとタバコ自体の重さでタバコが倒れやすくなり、火種部分が露出する場合がありタバコが倒れないように注意が必要である。【００２５】  破砕状は火種部分が球状に比べ消火剤層に挿入するのに多少抵抗があり、球状は軽いタッチで挿入出来た。【００２６】  表−２から１２秒後に粒子の大きさ，粒子の形状に関係無くタバコの表面が灰色になり、中央部は黒くなった状態で火種が消滅していた。【００２７】  次にタバコの火種が無くなった状態で１〜２日放置した後の灰皿と、タバコを観察すると、タバコと灰は乾燥し、ぱさぱさになり、灰皿と灰の接触面はべとつきが無くなり、さらりとして臭いも低減していた。【００２８】  実施例には記さなかったが、マッチ、線香も同じような結果であった。【００２９】  以上の結果から、無機多孔質二酸化ケイ素の消火剤を容器に０．５ｃｍ以上の層に敷く事によって、タバコの火種部分を消火剤の層に挿入、埋没し易く、短時間に火種部分を消滅させ、完全消火し、見栄えも綺麗に、べとつかず、サラッとし、後始末も消火剤を取り替えるだけで簡単に出来る事を特徴とする、タバコ、マッチ、線香等の消火剤である。
【産業上の利用可能性】
【００３０】  上記の消火剤を用いる事によって、タバコ、マッチ、線香等、消したつもり、消し忘れによる不完全消火での再燃、火災を防止し、短時間に確実に消火する事で、灰皿の燻り、臭い、タバコ脂のべたつき、汚れを低減し，美術館、劇場、病院等公共施設、ホテル、旅館、飲食店、民間企業の喫煙室、精密産業のクリーンルーム等その他各施設に於いて環境を良くし清浄空気の維持管理、再燃火災を防止、無色透明で清潔感があり、水を使わないのでこぼれる心配は無く、幼児の誤飲事故も防止できる。